(57)【要約】      （修正有）【課題】使用済みの包装材であるフィルムを巻き取った場合、体積を縮小できるシール装置を提供する。【解決手段】制御パネル２１と、該制御パネル２１に電気的に接続し、かつ回転軸が延伸してフィルム押し圧機構４に連結するモータを含んでなる動力ユニットとを具える装置本体２と、一回りしたフィルムを巻き取る能動ローラ３１を具えるフィルム機構３と、伝動ブロックが連結桿に接続し、該連結桿の一端には偏心ブロックを軸支し、該偏心ブロックは該モータの回転軸と接続するフィルム押し圧機構４と、正転、反転可能なモータであって、かつ回転軸がクランクに連結する動力供給手段を具え、該クランクの一端は該連結桿の一端に接続し、該連結桿の他端は該ベース座の適宜な位置に固定し、該ベース座上に容器支持座を設け、該ベース座の下方には２本の位置決め桿を設け、該位置決め桿の下方にはレールブロックを設け、該レールブロックの両側にはガイドブロック設けたフィルム支持部５と、を含み構成される。【選択図】図１
0003152023.tif 000002
【実用新案登録請求の範囲】
【請求項１】
装置本体と、フィルム機構と、フィルム押し圧機構と、フィルム支持部とを含んでなるシール装置であって、
該装置本体は、制御パネルと、該制御パネルに電気的接続し、かつ回転軸が延伸して該フィルム押し圧機構に連結するモータを含んでなる動力ユニットとを具え、
該フィルム機構は、対称する能動ローラと、フィルムを設けた受動ローラとを具え、該装置本体の受動ローラ側にフィルム感知手段を設けるとともに、該受動ローラに設けられたフィルムは該装置本体の両側に設けた複数の軸桿を経て、一回りして該能動ローラに巻き取られ、
該フィルム押し圧機構は、上ベースと、下ベースと、裁断部材と、熱圧板とによって構成され、該上ベースには押し付け座を設け、該押し付け座上には伝動ブロックを設け、該伝動ブロックが連結桿に接続し、該連結桿の一端には偏心ブロックを軸支し、該偏心ブロックは該モータの回転軸に接続し、
該フィルム支持部は動力供給手段を具え、該動力供給手段は正転、反転可能なモータであって、該動力供給手段の回転軸にはクランクを設け、該クランクの一端は該連結桿の一端に接続し、該連結桿の他端は該ベース座の適宜な位置に固定し、該ベース座上に容器支持座を設け、該ベース座の下方には２本の位置決め桿を設け、該位置決め桿の下方にはレールブロックを設け、該レールブロックの両側にはガイドブロック設け、
容器を該フィルム支持部の該容器支持座に置いて、該制御パネルの制御ボタンを押して電源をONにすると、該動力供給手段の回転軸が回転して該クランクが連動し、該クランクが該連結桿を牽引して該ベース座をシール装置内部の方向に移動させ、該フィルム機構の該能動ローラが同期して該受動ローラに巻き取られたフィルムを引っ張って該能動ローラを回転させ、該フィルム支持部が該フィルム押し圧機構の下方に位置すると、該モータが該フィルム押し圧機構の該連動桿を作動させ、該熱圧板が先にフィルムを該容器の開口に押し圧しで溶着の動作を行い、該モータの回転軸が所定の角度に回転すると、該裁断部材が下方に裁断の動作を行い、該容器の開口を密封する動作を完成させるように構成することを特徴とするシール装置。
【請求項２】
前記装置本体の両側に支柱を設け、該支柱の内側に対応するスライドレールとスライドブロックとを設けることを特徴とする請求項１に記載のシール装置。
【請求項３】
前記制御パネルの下方に、遮蔽板と支持部材を具える安全装置を設けることを特徴とする請求項１に記載のシール装置。
【請求項４】
前記受動ローラ側に位置決め板を設け、該位置決め板上に突き上げ部材を設けることを特徴とする請求項１に記載のシール装置。
【請求項５】
前記能動軸側にローラを設けることを特徴とする請求項１に記載のシール装置。
【請求項６】
前記回転軸が両側から中央に向かって徐々に太くなり錐体状を形成することを特徴とする請求項５に記載のシール装置。
【請求項７】
前記回転軸に斜面を有する当止ブロックを嵌着することを特徴とする請求項５に記載のシール装置。
【請求項８】
前記フィルム押し圧機構の該連結桿の該伝動ブロックと接続する位置には、位置決め部材を軸支することを特徴とする請求項１に記載のシール装置。
【請求項９】
前記フィルム押し圧機構の伝動ブロックの両側に検知装置を設け、かつ該検知装置上にプッシュスイッチを設けることを特徴とする請求項１に記載のシール装置。
【請求項１０】
前記受動ロール側に回転軸と、カウントギアと、連結部材と、センサを具える校正装置を設けることを特徴とする請求項１に記載のシール装置。
【考案の詳細な説明】
【技術分野】
【０００１】
この考案は、飲料などの内容物を収納したカップの開口部を密封して包装するシール装置に関する。
【背景技術】
【０００２】
シール装置は、各種のホット、もしくはアイスドリンクを収納したカップ状の容器の開口部を密封するために用いる装置であって、容器の開口部を密封することによって、容器内部に収納した内容物の鮮度を保つとともに、内容物があふれ出ることを防ぐことができる。
【０００３】
シール装置に係る従来の技術として、例えば台湾実用新案、出願第９５２０８２０３号に開示される装置が挙げられる。該装置は、装置本体ベース部の前段部分に、それぞれ包装材送り機構と、カップ送り装置と、包装材接合装置を設けてなる。該包装材接合装置は電熱器と裁断装置を具える。
【０００４】
包装材は該包装材接合装置の下方に送られ、内容物を収納したカップは該該シール装置に別途設けられた伝動装置によって駆動されるカップ送り装置によって該包装材接合装置の下方に位置する包装材の下に送られる。この状態において、包装材接合装置が所定の距離だけ下降して、該包装材接合装置の該電熱器と、該裁断装置とによって容器の開口部に包装材を接合して密封し、さらに該伝動装置の駆動によって該カップ送り装置が開口部を密封したカップを送り出して、シール装置からの取り出しに供する。
【０００５】
前記包装材は、フィルム状に形成され、一端からローラに巻き取りシール装置に装着する。該容器の開口部を密封した後の使用済みの包装材は別途ローラを設けて巻き取る。この場合、巻き取られた使用済みの包装材の体積が大きいと取り扱いに不便で、不経済である。  
【先行技術文献】
【特許文献】
【０００６】
台湾実用新案、出願第９５２０８２０３号登録公報
【考案の概要】
【考案が解決しようとする課題】
【０００７】
この考案は、使用済みの包装材であるフィルムを巻き取った場合、体積を縮小できるシール装置を提供することを課題とする。
【課題を解決するための手段】
【０００８】
そこで、本考案者は従来の技術に見られる欠点に鑑み鋭意研究を重ねた結果、［解決手段］制御パネルと、該制御パネルに電気的接続し、かつ回転軸が延伸して該フィルム押し圧機構に連結するモータを含んでなる動力ユニットとを具える装置本体と、
該フィルム機構は、対称するフィルムを設けた受動ローラと、該受動ローラから装置本体の両側に設けた複数の軸桿を経て一回りしたフィルムを巻き取る該能動ローラとを具えるフィルム機構と、
上ベースと、下ベースと、裁断部材と、熱圧板とによって構成され、該上ベースには押し付け座を設け、該押し付け座上には伝動ブロックを設け、該伝動ブロックが連結桿に接続し、該連結桿の一端には偏心ブロックを軸支し、該偏心ブロックは該モータの回転軸接続するフィルム押し圧機構と、
正転、反転可能なモータであって、かつ回転軸がクランクに連結する動力供給手段を具え、、該クランクの一端は該連結桿の一端に接続し、該連結桿の他端は該ベース座の適宜な位置に固定し、該ベース座上に容器支持座を設け、該ベース座の下方には２本の位置決め桿を設け、該位置決め桿の下方にはレールブロックを設け、該レールブロックの両側にはガイドブロック設けたフィルム支持部と、を含み構成されるシール装置によって課題を解決できる点に着眼し、係る知見に基づいて本考案を完成させた。
【０００９】
以下、この考案について具体的に説明する。
請求項１に記載するシール装置は、装置本体と、フィルム機構と、フィルム押し圧機構と、フィルム支持部とを含んでなり、
該装置本体は、制御パネルと、該制御パネルに電気的接続し、かつ回転軸が延伸して該フィルム押し圧機構に連結するモータを含んでなる動力ユニットとを具え、
該フィルム機構は、対称する能動ローラと、フィルムを設けた受動ローラとを具え、該装置本体の受動ローラ側にフィルム感知手段を設けるとともに、該受動ローラに設けられたフィルムは該装置本体の両側に設けた複数の軸桿を経て、一回りして該能動ローラに巻き取られ、
該フィルム押し圧機構は、上ベースと、下ベースと、裁断部材と、熱圧板とによって構成され、該上ベースには押し付け座を設け、該押し付け座上には伝動ブロックを設け、該伝動ブロックが連結桿に接続し、該連結桿の一端には偏心ブロックを軸支し、該偏心ブロックは該モータの回転軸に接続し、
該フィルム支持部は動力供給手段を具え、該動力供給手段は正転、反転可能なモータであって、該動力供給手段の回転軸にはクランクを設け、該クランクの一端は該連結桿の一端に接続し、該連結桿の他端は該ベース座の適宜な位置に固定し、該ベース座上に容器支持座を設け、該ベース座の下方には２本の位置決め桿を設け、該位置決め桿の下方にはレールブロックを設け、該レールブロックの両側にはガイドブロック設け、
容器を該フィルム支持部の該容器支持座に置いて、該制御パネルの制御ボタンを押して電源をONにすると、該動力供給手段の回転軸が回転して該クランクが連動し、該クランクが該連結桿を牽引して該ベース座をシール装置内部の方向に移動させ、該フィルム機構の該能動ローラが同期して該受動ローラに巻き取られたフィルムを引っ張って該能動ローラを回転させ、該フィルム支持部が該フィルム押し圧機構の下方に位置すると、該モータが該フィルム押し圧機構の該連動桿を作動させ、該熱圧板が先にフィルムを該容器の開口に押し圧しで溶着の動作を行い、該モータの回転軸が所定の角度に回転すると、該裁断部材が下方に裁断の動作を行い、該容器の開口を密封する動作を完成させるように構成する。
【００１０】
請求項２に記載するシール装置は、請求項１における装置本体の両側に支柱を設け、該支柱の内側に対応するスライドレールとスライドブロックとを設ける。
【００１１】
請求項３に記載するシール装置は、請求項１における制御パネルの下方に、遮蔽板と支持部材を具える安全装置を設ける。
【００１２】
請求項４に記載するシール装置は、請求項１における記受動ローラ側に位置決め板を設け、該位置決め板上に突き上げ部材を設ける。
【００１３】
請求項５に記載する記載のシール装置は、請求項１における能動軸側にローラを設ける。
【００１４】
請求項６に記載するシール装置は、請求項５における記回転軸が両側から中央に向かって徐々に太くなり錐体状を形成する。
【００１５】
請求項７に記載するシール装置は、請求項５における記回転軸に斜面を有する当止ブロックを嵌着する。
【００１６】
請求項８に記載するシール装置は、請求項１におけるフィルム押し圧機構の該連結桿の該伝動ブロックと接続する位置には、位置決め部材を軸支する。
【００１７】
請求項９に記載するシール装置は、請求項１におけるフィルム押し圧機構の伝動ブロックの両側に検知装置を設け、かつ該検知装置上にプッシュスイッチを設ける。
【００１８】
請求項１０に記載するシール装置は、請求項１における記受動ロール側に回転軸と、カウントギアと、連結部材と、センサを具える校正装置を設ける。
【考案の効果】
【００１９】
この考案によれば、巻き取って回収する使用済みのフィルムの体積を縮小することができ、取り出しの作業が容易になり、延いては装置全体の体積を縮小できるという効果を有する。
【図面の簡単な説明】
【００２０】
【図１】この考案によるシール装置の外観を示した斜視図である。
【図２】この考案におけるフィルム押し圧機構の局部構造を示した説明図である。
【図３】この考案における動力ユニットの構造を示した説明図である。
【図４】この考案におけるフィルム支持部の構造を示した説明図である。
【図５】この考案におけるフィルム支持部の構造を示した分解図である。
【図６】この考案における校正装置の構造を示した説明図である。
【図７】他の方向から見たこの考案のシール装置の斜視図である。
【図８】この考案におけるシール支持部の動作を示した説明図である。
【図９】この考案におけるシール支持部の動作を示した他の説明図である。
【図１０】この考案におけるフィルム押し圧機構の動作を示した説明図である。
【図１１】この考案におけるフィルム押し圧機構の動作を示した他の説明図である。
【図１２】この考案におけるフィルム支持部が退出する動作を示した説明図である。
【図１３】この考案における安全装置の動作を示した説明図である。
【図１４】この考案における回転軸の他の実施の形態を示した説明図である。
【図１５】この考案における動力ユニットの他の実施の形態を示した説明図である。
【考案を実施するための最良の形態】
【００２１】
図１、にに開示するように、この考案によるシール装置１は、少なくとも装置本体２と、フィルム機構３と、フィルム押し圧機構４と、フィルム支持部５と、及び位置校正装置６を含んでなる。
【００２２】
装置本体２には、動力ユニット２２と電気的に接続する制御パネル２１を設ける。制御パネル２１には、シール装置１の動作を制御するための複数の制御ボタン２１１を設ける。装置本体２の両側には支柱２３を設けるとともに、支柱２３のに対応して、支柱２３の内側にスライドレール２４を設ける、また、支柱２３の下方にはスライドブロック２５を設ける。
【００２３】
動力ユニット２２は、モータ２２１を含む。モータ２２１の回転軸２２２は延伸してフィルム押し圧機構４に連結する。
【００２４】
また、制御パネル２１の下方には安全手段２６を設け、安全手段２６によってはフィルム押し圧機構４を遮蔽する。安全手段２６は、遮蔽板２６１と、支持部材２６２とを含む。支持部材２６２はＬ字状を呈する板材であって、安全手段２６の遮蔽板２６１を開けると、支持部材２６２が引き出されて、遮蔽板２６１を支持部材２６２に当接させる。
【００２５】
フィルム機構３は、対称する能動ローラ３１と、受動ローラ３２とを具える。受動ローラ３２には包装材のフィルム３３を設ける。フィルム３３は装置本体２の両側に設けた複数の軸桿３４を経て、一回りして能動ローラ３１に巻き取られる。また、受動ローラ３２側には位置決め板３５を設ける。位置決め板３５には突き上げ部材３５１を設ける。突き上げ部材３５１は、位置決め板３５にねじで固定され、弾性部材３５１１が貫通する。突き上げ部材３５１によって、フィルム３３は装置本体２の側壁に押し付けられて平坦な状態を保持する。
【００２６】
また、装置本体２の受動ローラ３２側にフィルム感知手段３６を設ける。フィルム感知手段３６には凹溝３６１を形成し、凹溝３６１内に近接センサを設け、かつフィルム３３の側縁部が凹溝３６１を通過するようにする。また、フィルム３３には、該近接センサの感知範囲内に記号を形成する。
【００２７】
さらに、装置本体２の能動ローラ３１側には回転軸３７を設ける。回転軸３７は両端から中央に向かって径が徐々に広くなって錐体状を呈する。
【００２８】
フィルム押し圧機構４について、図２、３、４を参照して説明する。フィルム押し圧機構４は、上ベース４１と、下ベース４２と、裁断部材４３と、熱圧板４４とによって構成される。
【００２９】
上ベース４１には押し付け座４１１を設け、押し付け座４１１上には伝動ブロック４１２を設ける。伝動ブロック４１２は、連結桿４１３に接続する。連結桿４１３の一端には偏心ブロック４１４を軸支する。偏心ブロック４１４はモータ２２１の回転軸２２２に接続する。
【００３０】
モータ２２１はベースプレート４５上に固定する。ベースプレート４５は、貫通孔４５１を穿設して伝動ブロック４１２を貫通させるとともに、軸孔４５２を穿設して方向決め軸４６を貫通させる。
【００３１】
上ベース４１は、ベースプレート４５の軸孔４５２を貫通する方向決め軸４６に接続するように設け、かつ
複数のボルト４１５を介して下ベース４２に連結する。該ボルト４１５にはスリーブ４１６を設け、下ベース４２と熱圧板４４との間には複数のボルト４２１を設ける。ボルト４２１には弾性部材４２２を嵌着する。
【００３２】
また、上ベース４１の下方に裁断ユニット４３を設ける。裁断部材４３は熱圧板４４の貫通孔４４を貫通してフィルム３３を裁断する。連結桿４１３の伝動ブロック４１２と接続する位置には、別途位置決め部材４１７を軸支する。伝動ブロック４１２の両側にはそれぞれ検知装置４１８を設け、検知装置４１８上にはプッシュスイッチを設ける。
【００３３】
フィルム支持部５は、図５に開示するように、動力供給手段５１を具える。動力供給手段５１は、正転、反転可能なモータであって、フィルム支持部５の後方に設ける。動力供給手段５１の回転軸５１１には、クランク５２を設け、クランク５２の一端は連結桿５３の一端に接続し、連結桿５３の他端はベース座５４の適宜な位置に固定する。ベース座５４の下方にはローラ５４１を設ける。ローラ５４１はベース座５４の前後への移動を順調にする作用を有する。また、ベース座５４の下方には２本の位置決め桿５４２を設ける。位置決め桿５４２にはコイルバネである弾性体５４３を嵌装する。さらに、位置決め桿５４２の下方にはレールブロック５４４を設ける。レールブロック５４４の両側にはガイドブロック５４５を設ける。ガイドブロック５４４がスライドブロック２５に接触すると、レールブロック下方の当接板５４６を上昇させる。
【００３４】
また、ベース座５４の上方に容器支持座５５を設ける。容器支持座５５には、外環座５５１と内環座５５２と、容器Ａの収納に供する収納空間５５３とを設ける。外環座５５１と内環座５５２とにはパッキング５５１１、５５２１を設ける。また、外環座５５１と内環座５５２との間には裁断溝５５４を形成する、裁断溝５５４は裁断ユニット４３のカッターの収納に供する。
【００３５】
校正装置６について、図６を参照にして説明する。校正装置６は回転軸６１と、カウントギア６３と、連結部材６３と、センサ６４とを具える。回転軸６１は装置本体２の支柱２３の外側に設ける。また、回転軸６１の一端はカウントギア６２に固定する。線さ６４は連結部材６３を介してカウントギア６２の下方に設ける。さらに、カウントギア６２とセンサ６４とを覆うカバー６５を設ける。センサ６４によってカウントギア６２の回転する歯の数を検知するとともに、回転軸６１の回転数を設定してフィルム３３を送るピッチを効率よく制御する。
【００３６】
図１、図７を参考にして、この考案によるシール装置１の動作を説明する。食物を収納した容器Ａを容器支持座５５の収納空間５５３内に置く。この場合、容器Ａの縁は内環座５５２上に位置する。この状態において、制御パネル２１の制御ボタン２１１を押して電源をＯＮにする。フィルム支持部５のベース座５４は、動力供給手段５１の回転軸５１１が回転してクランク５２が連動する。クランク５２は連結桿５３を牽引してベース座５４をシール装置１内部の方向に移動させる。同時に、フィルム機構３の能動ローラ３１が同期して受動ローラ３２に巻き取られたフィルム３３を引っ張って能動ローラ３２を回転させる。フィルム３３は装置本体２の軸桿３４によって平坦な状態となって送られ、図８、９に開示するように、フィルム感知手段３６と校正装置６によって、フィルム３３に印刷した商品供給者のロゴ、もしくは商品類別紹介などの説明の部分を容器Ａの開口部に対応させる。よって、フィルム３３を送る距離を手作業で調整する必要がなくなる。
【００３７】
図１０、１１に開示するように、ベース座５４がフィルム押し圧機構４の下方に位置する場合、モータ２２１に連動してがフィルム押し圧機構４の連結桿４１３が作動し、先に熱圧板４４がフィルム３３を容器Ａの開口に押し圧して溶着させる動作を行い、モータ２２１の回転軸２２２が再度所定の角度に至るまで回転すると、裁断部材４３が下方に向かって裁断の動作を行う。
【００３８】
また、フィルム押し圧機構４が上下移動の動作を行う場合、連結桿４１３上の位置決め部材が、連結桿４１３に同期して作動し、さらに検知装置４１８上のプッシュスイッチに、同時に接触してフィルム押し圧機構３の上下位置限定の効果を達成する。
【００３９】
図１２に開示するように、開口部の密封が完成すると、動力供給手段５１はさらに正方向に回転してクランク５２を連動させ、クランク５２に連動して連結桿５３がベース座５４を押し出す。ベース座５４の下方のローラ５４１は装置本体２のスライドブロック２４がシール装置１の外側に向かって移動する。さらに、ガイドブロック５４４がスライドブロック２５に接触すると、レールブロック上の当接板５４５が容器Ａを押し上げる。よって容器Ａを取り出しやすくなる。
【００４０】
本考案においては、動力供給手段５１がクランク５２に連結し、クランク５２が連結桿５３を介してフィルム支持部５のベース座５４に連結し、動力供給手段５１であるモータが直接正、反転してクランク５２を扇形状に往復運動させる。このため、フィルム支持部５が装置本体２内で前後に移動し、係る動作によってクランク５２の運動する空間を減少させ、ここから装置本体２の体積を縮小させるとともに、延いてはシール装置１の占める空間の縮小を達成することができる。
【００４１】
図１３に開示するように、この考案は装置本体２の能動ローラ３１側に回転軸３７を設け、かつ回転軸３７は両端から中央に向かって徐々に太くなる錐体形状を呈する。能動ローラ３１が使用済みフィルムを巻き取る場合、回転軸３７で使用済みフィルムを押し広げて、巻き取る使用済みフィルムの体積を縮小させる。このため、使用済みフィルムを取り出す時間を縮小することができ、使用上の利便性を高めることができる。
【００４２】
また、この考案は制御パネル２１の下方に安全装置２６を設けてフィルム押し圧機構４を遮蔽する。よって、シール装置１の使用者が誤ってシール装置１内に手を差し込んで、手を挟まれたり、火傷したりする事態を防ぐことができる。また、安全装置２６の遮蔽板２６１を起こすことによって、支持部材２６２が引き出され、遮蔽板２６１が支持部材２６２に当接して開放状態を形成する。よって、部品交換、保守の作業が便利になるとともに、装置の清潔を保つという効果を達成する。
【００４３】
また、図１４に開示するように、回転軸３７は直径が均一な回転軸３７に傾斜した錐体面を有する当止ブロック３７１を嵌着してもよい。係る構成によっても、同様に使用済みフィルムを押し広げて平坦にすることができ、使用済みフィルムの体積を縮小させる効果を達成することができる。
【００４４】
図１５に開示するように、この考案においては装置本体２に設ける動力ユニット２２は、エアコンプレッサ２２３であってもよい。この場合、装置本体２の隣に気圧検知手段２２４を設ける。係る構成によっても、同様にフィルム押し圧機構４の上下移動のストロークを制御することができる。
【符号の説明】
【００４５】
１           シール装置
２           装置本体
２１              制御パネル
２１１    制御ボタン
２２              動力ユニット
２２１    モータ
２２２    回転軸
２３              支柱
２３              スライドレール
２５              スライドブロック
３           フィルム機構
３１              能動ローラ
３２              受動ローラ
３３              フィルム
３４              軸桿
３５              位置決め板
３５１    突き上げ部材
３５１１       弾性部材
３６              フィルム管理手段
３６１    凹溝
３７              回転軸
４           フィルム押し圧機構
４１              上ベース
４１１    押し付け在
４１２    伝動ブロック
４１３    連結桿
４１４    返信ブロック
４１５    ボルト
４１６    スリーブ
４１７    位置決め部材
４１８    検知装置
４２              下ベース
４２１    ボルト
４２２    弾性部材
４３              裁断部材４３
４４              熱圧板
４５              ベースプレート
４５１    貫通孔
４５２    軸孔
４６              方向決め軸
５           フィルム支持部
５１              動力供給手段
５１１    回転軸
５２              クランク
５３              連結桿
５４              ベース座
５４１    ローラ
５４２    位置決め桿
５４３    弾性体
５４４    レールブロック
５４５    ガイドブロック
５４６    当接板
６           位置校正装置
【図１】
0003152023.tif 000003
【図２】
0003152023.tif 000004
【図３】
0003152023.tif 000005
【図４】
0003152023.tif 000006
【図５】
0003152023.tif 000007
【図６】
0003152023.tif 000008
【図７】
0003152023.tif 000009
【図８】
0003152023.tif 000010
【図９】
0003152023.tif 000011
【図１０】
0003152023.tif 000012
【図１１】
0003152023.tif 000013
【図１２】
0003152023.tif 000014
【図１３】
0003152023.tif 000015
【図１４】
0003152023.tif 000016
【図１５】
0003152023.tif 000017
【手続補正書】
【提出日】平成21年5月13日(2009.5.13)
【手続補正１】
【補正対象書類名】実用新案登録請求の範囲
【補正対象項目名】請求項１０
【補正方法】変更
【補正の内容】
【請求項１０】
前記受動ローラ側に回転軸と、カウントギアと、連結部材と、センサを具える校正装置を設けることを特徴とする請求項１に記載のシール装置。
【手続補正２】
【補正対象書類名】明細書
【補正対象項目名】００１８
【補正方法】変更
【補正の内容】
【００１８】
請求項１０に記載するシール装置は、請求項１における受動ローラ側に回転軸と、カウントギアと、連結部材と、センサを具える校正装置を設ける。